(57)【要約】【課題】コンテンツダウンロード時の時間を有効活用できるようにする。【解決手段】  携帯電話装置１０では、まず、属性ファイル取得部３１が、取得しようとするコンテンツファイルの属性を記述したファイルであるコンテンツ属性記述ファイルを、コンテンツサーバ６０よりダウンロードする。続けて、広告取得部３２が、当該コンテンツ属性記述ファイル中の情報に基づき、コンテンツの提示情報である提示情報ファイルを取得する。次に、コンテンツ要求部２８は、当該コンテンツ属性記述ファイル中の情報に基づき、コンテンツサーバ６０に対し、接続要求を発行する。引き続き、再生部３３は、コンテンツサーバ６０よりコンテンツ要求部２８が当該コンテンツファイルを取得する過程で、当該コンテンツの提示情報をダウンロードの開始から終了までの間再生する。【選択図】  図４
2008072601.tif 000002
【特許請求の範囲】
【請求項１】
コンテンツファイルの属性情報を含むコンテンツ属性記述ファイルをコンテンツサーバより取得する属性ファイル取得工程と；
前記コンテンツ属性記述ファイル中の提示関連情報に基づき、前記コンテンツファイルの取得中に利用者に提示すべき提示情報を取得する提示情報取得工程と；
前記コンテンツ属性記述ファイル中のコンテンツ関連情報に基づき、前記コンテンツファイルの取得要求を発行するコンテンツ要求工程と；
前記コンテンツサーバからの前記コンテンツファイルの取得中に、前記提示情報を提示する情報提示工程と；を備える情報提示方法。
【請求項２】
前記提示関連情報が、前記提示情報そのものである、ことを特徴とする請求項１に記載の情報提示方法。
【請求項３】
前記提示関連情報が、前記提示情報が存在するネットワーク上の位置情報である、ことを特徴とする請求項１に記載の情報提示方法。
【請求項４】
前記提示情報は広告情報である、ことを特徴とする請求項１〜３のいずれか一項に記載の情報提示方法。
【請求項５】
コンテンツファイルの属性情報を含むコンテンツ属性記述ファイルをコンテンツサーバより取得する属性ファイル取得手段と；
前記コンテンツ属性記述ファイル中の提示関連情報に基づき、前記コンテンツファイルの取得中に利用者に提示すべき提示情報を取得する提示情報取得手段と；
前記コンテンツ属性記述ファイル中のコンテンツ関連情報に基づき、前記コンテンツファイルの取得要求を発行するコンテンツ要求手段と；
前記コンテンツサーバからの前記コンテンツファイルの取得中に、前記提示情報を提示する情報提示手段と；を備える通信端末装置。
【請求項６】
前記提示関連情報が、前記提示情報そのものである、ことを特徴とする請求項５に記載の通信端末装置。
【請求項７】
前記提示関連情報が、前記提示情報が存在するネットワーク上の位置情報である、ことを特徴とする請求項５に記載の通信端末装置。
【請求項８】
前記提示情報は、広告情報である、ことを特徴とする請求項５〜７のいずれか一項に記載のコンテンツ取得時メディア活用方法。
【請求項９】
移動通信網の基地局と無線通信を行う無線通信手段を更に備える、ことを特徴とする請求項５〜８に記載の通信端末装置。
【発明の詳細な説明】
【技術分野】
【０００１】
本発明は、情報提示方法及び通信端末装置に係り、より詳しくは、通信端末装置によるコンテンツ取得時に利用できる情報提示方法及び当該方法を使用する通信端末装置に関するものである。
【背景技術】
【０００２】
従来から、パーソナルコンピュータや移動通信端末装置といった通信機器が普及してきている。これに伴って、通信端末装置にサーバからコンテンツをダウンロードさせるコンテンツプロバイダや当該プロバイダが提供するサービス等が充実してきている。さらに、通信端末装置の処理能力の向上やメモリ容量の増大により、データ量の多いコンテンツであっても、さほど時間をかけずにダウンロードすることが可能となってきている。
【発明の開示】
【発明が解決しようとする課題】
【０００３】
しかし、依然として当該ダウンロードを行うためにはある程度の時間を要する。よって利用者の多くは、ダウンロードが終了するまでの間、ダウンロードが終了したか否かを頻繁に確認しながら、あるいはダウンロード画面を見続けながら待つことになる。いずれにしても当該時間は無駄になっており、利用者にとっても不便であった。
【０００４】
本発明は、コンテンツダウンロード時の時間を有効活用できる情報提示方法、及び、通信端末装置を提供することを目的とする。
【課題を解決するための手段】
【０００５】
本発明は、第１の観点からいって、コンテンツファイルの属性情報を含むコンテンツ属性記述ファイルをコンテンツサーバより取得する属性ファイル取得工程と；前記コンテンツ属性記述ファイル中の提示関連情報に基づき、前記コンテンツファイルの取得中に利用者に提示すべき提示情報を取得する提示情報取得工程と；前記コンテンツ属性記述ファイル中のコンテンツ関連情報に基づき、前記コンテンツファイルの取得要求を発行するコンテンツ要求工程と；前記コンテンツサーバからの前記コンテンツファイルの取得中に、前記提示情報を提示する情報提示工程と；を備える情報提示方法である。
【０００６】
この情報提示方法では、まず、属性ファイル取得工程において、当該コンテンツファイルの属性を記述したファイルであるコンテンツ属性記述ファイルを、コンテンツサーバよりダウンロードする。当該コンテンツ属性記述ファイルは、例えば画面上に存在するリンクに関連付けて定義されており、当該リンクを押下することで、ダウンロードが行われる。
【０００７】
続けて、提示情報取得工程において、当該コンテンツ属性記述ファイル中の情報に基づき、コンテンツファイルの取得中に利用者に提示すべき提示情報を取得する。
【０００８】
当該コンテンツ属性記述ファイル中には、当該コンテンツファイルのネットワーク上の識別子が指定してある。よって、次に、コンテンツ要求工程において、当該識別子を指定して、コンテンツサーバに対する接続要求を発行する。
【０００９】
その後に、情報提示工程において、コンテンツサーバより当該コンテンツファイルの取得を開始するのに合わせて、当該提示情報を再生する。当該再生は、ダウンロードの開始から終了までの間に渡って行われる。また、再生は音声によるものであっても、動画や静止画又はテキストによるものであってもよい。よって、ダウンロードの開始から終了までの間の時間を有効活用し、利用者にも有用な情報を提示することができる。
【００１０】
また、本発明の情報提示方法では、前記提示関連情報が、前記提示情報そのものである、こととすることができる。
【００１１】
この場合には、提示関連情報は、属性記述ファイルの内部にそのデータが埋め込まれている仕組みになっている。よって、当該提示情報は、提示情報取得工程において、当該属性記述ファイルの中から、提示情報そのものが取得される。よってこの場合は、提示情報の取得のためにネットワークに接続することなく、簡易に提示情報の取得ができる。
【００１２】
また、本発明の情報提示方法では、前記提示関連情報が、前記提示情報が存在するネットワーク上の位置情報である、こととすることができる。
【００１３】
この場合には、提示関連情報は、属性記述ファイルの内部にそのデータを格納するネットワーク上の位置を示す識別子が埋め込まれている。よって、当該属性記述ファイルより当該識別子を取得して、これを以ってコンテンツサーバに対して取得を要求し、サーバからの返答により当該提示情報を取得する。
【００１４】
また、本発明の情報提示方法では、前記提示情報は広告情報である、こととすることができる。
【００１５】
この場合には、提示関連情報は広告情報であり、内容としては、当該コンテンツに関する広告や、当該コンテンツを提供するプロバイダによる他のコンテンツに関する広告や、あるいはプロバイダ自身の宣伝広告等が考えられる。当該提示情報たる広告は、テキストや静止画、動画であってもよく、又、音声を伴うものであってもよい。
【００１６】
よってこの場合には、コンテンツのダウンロード中にコンテンツに関連した広告情報等を伝達することによって、利用者を飽きさせることがなく有用な情報を提供でき、コンテンツプロバイダにとっては宣伝を行うことができる、といったような、時間の有効活用が可能となる。
【００１７】
本発明は、第２の観点からいって、コンテンツファイルの属性情報を含むコンテンツ属性記述ファイルをコンテンツサーバより取得する属性ファイル取得手段と；前記コンテンツ属性記述ファイル中の提示関連情報に基づき、前記コンテンツファイルの取得中に利用者に提示すべき提示情報を取得する提示情報取得手段と；前記コンテンツ属性記述ファイル中のコンテンツ関連情報に基づき、前記コンテンツファイルの取得要求を発行するコンテンツ要求手段と；前記コンテンツサーバからの前記コンテンツファイルの取得中に、前記提示情報を提示する情報提示手段と；を備える通信端末装置である。
【００１８】
この通信端末装置では、コンテンツサーバよりコンテンツファイルをダウンロードする際の動作が示される。まず、属性ファイル取得手段が、当該コンテンツファイルの属性を記述したファイルであるコンテンツ属性記述ファイルを、コンテンツサーバよりダウンロードする。当該コンテンツ属性記述ファイルは、例えば画面上に存在するリンクに関連付けて定義されており、当該リンクを押下することで、ダウンロードが行われる。
【００１９】
続けて、提示情報取得手段が、当該コンテンツ属性記述ファイル中の情報に基づき、コンテンツの関連情報である関連情報ファイルを取得する。
【００２０】
次に、コンテンツ要求手段は、当該コンテンツ属性記述ファイル中の情報に基づき、コンテンツファイルの取得要求を発行する。この際には、コンテンツ属性記述ファイル中に指定してある、当該コンテンツファイルのネットワーク上の位置を示す識別子を用いる。よって当該識別子を指定して、コンテンツサーバに対し、接続要求を行う。
【００２１】
引き続き、情報提示手段は、コンテンツサーバより当該コンテンツファイルを取得する過程において、当該提示情報を再生する。当該再生は、ダウンロードの開始から終了までの間、行われる。また、再生は音声によるものであっても、動画や静止画又はテキストによるものであってもよい。よって、ダウンロードの開始から終了までの間の時間を有効活用し、利用者にも有用な情報を提示することができる。
【００２２】
また、本発明の通信端末装置では、前記提示関連情報が、前記提示情報そのものである、こととすることができる。
【００２３】
この場合には、提示関連情報は、属性記述ファイルの内部にそのデータが埋め込まれている仕組みになっているので、提示情報取得手段は、当該提示関連情報を、当該属性記述ファイルの中から提示情報そのものを取得する。よってこの場合は、提示情報の取得のためにネットワークに接続することなく、簡易に提示情報の取得ができる。
【００２４】
また、本発明の通信端末装置では、前記提示関連情報が、前記提示情報が存在するネットワーク上の位置情報である、こととすることができる。
【００２５】
この場合には、提示情報については、属性記述ファイルの内部にそのデータのネットワーク上の位置である識別子が埋め込まれている。よって、当該属性記述ファイルより当該識別子を取得して、これを以ってコンテンツサーバに対して取得を要求し、サーバからの返答により提示情報を取得する。
【００２６】
また、本発明の通信端末装置では、前記提示情報は広告情報である、こととすることができる。
【００２７】
この場合には、提示情報は広告情報であり、内容としては、当該コンテンツに関する広告や、当該コンテンツを提供するプロバイダによる他のコンテンツに関する広告や、あるいはプロバイダ自身の宣伝広告等が考えられる。当該提示情報たる広告は、テキストや静止画、動画であってもよく、又、音声を伴うものであってもよい。
【００２８】
よってこの場合には、コンテンツのダウンロード中にコンテンツに関連した広告情報等を伝達することによって、利用者を飽きさせることがなく有用な情報を提供でき、コンテンツプロバイダにとっては宣伝を行うことができる、といったような、時間の有効活用が可能となる。
【００２９】
また、本発明の通信端末装置では、移動通信網の基地局と無線通信を行う無線通信手段を更に備える、とすることができる。すなわち、本発明の通信端末装置を移動通信端末装置とすることができる。
【発明の効果】
【００３０】
以上説明したように、本発明の情報提示方法によれば、コンテンツダウンロード時の時間を有効活用することができるという効果を奏する。
【００３１】
また、本発明の通信端末装置によれば、コンテンツダウンロード時の時間を有効活用できるという効果を奏する。
【発明を実施するための最良の形態】
【００３２】
以下、本発明の実施形態を、図１〜図６を参照しつつ説明する。なお、これらの図においては、同一又は同等の要素には同一の符号を付し、重複する説明を省略する。
【００３３】
[構成]
図１には、移動通信端末装置である携帯電話装置１０を含むシステム構成１００の概略が示されている。携帯電話装置１０は基地局５１と無線通信を行い、基地局５１を介してネットワーク５０に接続されている。また、ネットワーク５０には、コンテンツサーバ６０が接続されている。なお、図１には代表的に基地局５１が一つだけネットワーク５０に接続されているが、実際には複数の基地局が接続されている。
【００３４】
図２には、携帯電話装置１０の外観構成が概略的に示されている。ここで、図１（Ａ）には、携帯電話装置１０の外観の正面図が示され、図１（Ｂ）には、携帯電話装置１０の外観の背面図が示されている。
【００３５】
図２（Ａ）及び図２（Ｂ）に総合的に示されるように、携帯電話装置１０は、（ａ）携帯電話本体１１と、（ｂ）電話番号を入力するためのテンキー、及び、動作モードの切換等の各種指令を、後述する制御部２１（図３参照）に入力するためのファンクションキーを有する操作部１２と、（ｃ）操作案内、動作状況、受信メッセージ等を表示する液晶表示装置を有する表示手段としての表示部１３とを備えている。また、携帯電話装置１０は、（ｄ）通話時に通信相手から送られてきた音声信号を再生する通話用スピーカ１４と、（ｅ）集音時に音を入力したり、通話時に音声を入力したりするためのマイクロフォン１５と、（ｆ）着信音や案内音を発生するための案内用スピーカ１６と、（ｇ）基地局との間で無線信号を授受するためのアンテナ１７とを備えている。
【００３６】
携帯電話本体１１の内部には、図３に示されるように、（ｉ）携帯電話装置１０全体の動作を統括制御する制御部２１と、(ii)アンテナ１７を介して、基地局との間で無線信号の送受信を行う送受信部２２と、（iii）制御部２１で実行されるプログラムや各種データを格納する、読出専用メモリ（ＲＯＭ）素子やランダムアクセスメモリ（ＲＡＭ）素子を有する記憶部２３とを備えている。
【００３７】
さらに、制御部２１の内部にはウェブブラウザ２６を備え、更にウェブブラウザ２６の内部に広告再生部２７及び、コンテンツ要求部２８（コンテンツ要求手段）を備えている。また、記憶部２３の内部には一時記憶領域２４及びコンテンツ記憶領域２５を備えている。
【００３８】
制御部２１の内部に存在する広告再生部２７の内部については、図４に示している。広告再生部２７は、内部に、属性ファイル取得部３１（属性ファイル取得手段）、広告取得部３２（提示情報取得手段）、再生部３３（情報提示手段）、を備えている。
【００３９】
[動作]
本実施形態では、携帯電話装置１０の表示部１３に表示されている、任意のコンテンツに関連付けられているアンカーを押下することから、コンテンツのダウンロード処理が開始する。図５（Ａ）の画面表示において、利用者が所望するアンカーを押下することで、利用者は、アンカーに対して定義されたコンテンツを取得することを移動通信端末装置１０に対して指令したことになる。この指令を検出すると、広告再生部２７が起動する。
【００４０】
図６のシーケンス図に示されるように、まず、携帯電話装置１０における属性ファイル取得部３１が、コンテンツファイルに関連付けられているＸＭＬ形式のテキストファイルである、属性記述ファイル（以下、「ＤＤ（Download Discriptor）ファイル」ともいう）を取得する。当該ＤＤファイルは、アンカーに対して定義されているものである。属性ファイル取得部３１は、送受信部２２を介して、当該コンテンツサーバ６０に対するＨＴＴＰリクエストによりＤＤファイルを取得する。コンテンツサーバ６０からのＨＴＴＰレスポンスを受けて取得されたＤＤファイルは、ステップＳ１１において、一時記憶領域２４に保存される。
【００４１】
続いて、ステップＳ１２において、携帯電話装置１０における広告取得部３２が、取得したＤＤファイル中の所定の記述中に埋め込まれた、当該コンテンツの広告情報そのものを取得する。取得された広告情報は、一時記憶領域２４に格納される。
【００４２】
続いて、携帯電話装置１０におけるコンテンツ要求部２８が、当該アンカーに対して定義された当該コンテンツを、属性記述ファイル中に指定された識別子を用いて、送受信部２２を介して、コンテンツサーバ６０に対してＨＴＴＰリクエストにより取得する。すると、コンテンツファイルのダウンロードが開始されることになる。当該ダウンロード時には、図５（Ｂ）の画面上部に示されるように、プログレスバーや残り時間等により、ダウンロードの進行具合が表示される。
【００４３】
このときに、ステップＳ１３において、携帯電話装置１０における再生部３３が、一時記憶領域２４より広告情報を読み出す。そして、コンテンツファイルのダウンロードの開始によって、当該広告情報の再生を、各再生機能に対して指令する。当該広告情報は、テキストであってもよく、音声、静止画若しくは動画、又はそれらの組み合わせによるものであってもよい。当該広告情報は、図５（Ｂ）の画面下部のように表示される。
【００４４】
当該広告情報の再生は、コンテンツファイルのダウンロードが終了するまで続けられる。ダウンロードが完了したときには、コンテンツサーバ６０に対して、ダウンロード終了報告を行う。
【００４５】
当該報告を受けたコンテンツサーバ６０はこれに対してレスポンスを返す。以上を以って一連のコンテンツダウンロード処理が終了する。取得されたコンテンツファイルは、ステップＳ１４において、コンテンツ記憶領域２５に格納される。
【００４６】
そして、利用者にダウンロード完了を通知するため、図５（Ｃ）に示されるような画面表示がなされる。表示する内容は、ダウンロードしたファイル名、ファイルを保存するフォルダ名、ファイルのサイズ等である。
【００４７】
以上説明したように、本発明の通信端末装置では、まず、属性ファイル取得部３１が、当該コンテンツファイルの属性を記述したファイルであるコンテンツ属性記述ファイルを、コンテンツサーバ６０よりダウンロードする。当該コンテンツ属性記述ファイルは、例えば画面上に存在するリンクに関連付けて定義されており、当該リンクを押下することで、ダウンロードされる。
【００４８】
続けて、広告取得部３２が、当該コンテンツ属性記述ファイル中の情報に基づき、コンテンツの提示情報である提示情報ファイルを取得する。次に、コンテンツ要求部２８は、当該コンテンツ属性記述ファイル中の情報に基づき、コンテンツファイルの取得要求を発行する。これは、コンテンツ属性記述ファイル中に、当該コンテンツファイルのネットワーク上の識別子が指定してあることによる。よって当該識別子を指定して、コンテンツサーバ６０に対し、接続要求を行う。
【００４９】
引き続き、再生部３３は、コンテンツ要求部２８がコンテンツサーバ６０より当該コンテンツファイルを取得する過程において、当該コンテンツの提示情報を再生する。当該再生は、ダウンロードの開始から終了までの間、行われる。また、再生は音声によるものであっても、動画や静止画又はテキストによるものであってもよい。よって、ダウンロードの開始から終了までの間の時間を有効活用し、利用者にも有用な情報を提示することができる。
【００５０】
また、本発明の通信端末装置では、広告取得部３２は、前記コンテンツの提示情報は、取得した前記属性記述ファイル中よりそのデータを取得する、こととすることができる。
【００５１】
この場合には、コンテンツ関連情報は、属性記述ファイルの内部にそのデータが埋め込まれている仕組みになっているので、広告取得部３２においては、当該属性記述ファイルより取得される。よって、ネットワークの負荷を軽減したデータ取得ができる。
【００５２】
[実施形態の変形]
なお、上記の実施形態においては、広告取得部３２は、コンテンツの広告情報は、取得したＤＤファイル中よりそのデータそのものを取得するとしたが、取得したＤＤファイル中よりそのデータのネットワーク上の位置である識別子を取得して、コンテンツサーバ６０に対して取得を要求し取得する、とすることができる。
【００５３】
この場合は、図６のシーケンス図においては、ステップＳ１２において、広告取得部３２がＤＤファイルより取得した識別子を取得し、その後に当該識別子を用いてコンテンツサーバ６０より広告情報を取得するシーケンスが、挿入されることになる。その後の処理は上記の実施形態と同様である。
【００５４】
また、上記の実施形態においては、本発明の機能を広告再生部２７として表し、広告取得部３２は、当該コンテンツの広告情報を取得するものとしたが、「コンテンツの関連情報」として規定される情報は、必ずしも広告である必要はなく、当該コンテンツのダウンロード時の時間を使って出力するにあたり有意な他の情報であってもよい。
【００５５】
また、上記の実施形態においては、本発明の通信端末装置は携帯電話装置であるとしたが、他の移動通信端末装置であってもよく、通常の通信端末装置であってもよい。
【産業上の利用可能性】
【００５６】
以上説明したように、本発明の情報提示方法は、通信端末装置によるコンテンツダウンロード時における情報提示に適用することができる。また、本発明の通信端末装置は、コンテンツダウンロードを行う通信端末装置に適用することができる。
【図面の簡単な説明】
【００５７】
【図１】本発明の通信端末装置を含むシステムの概略を示す図である。
【図２】本発明の移動通信端末装置の外観構成を概略的に示す図である。
【図３】図２の装置の内部構成を説明するためのブロック図である。
【図４】図３の制御部内の広告再生部の構成を示すブロック図である。
【図５】図３の広告再生部の動作に付随して表示される画面を説明する図である。
【図６】図３の広告再生部の動作を説明するシーケンス図である。
【符号の説明】
【００５８】
１０…携帯電話装置（通信端末装置）、１１…携帯電話本体、１２…操作部、１３…表示部、１４…通話用スピーカ、１５…マイクロフォン、１６…案内用スピーカ、１７…アンテナ、２１…制御部、２２…送受信部、２３…記憶部、２４…一時記憶領域、２５…コンテンツ記憶領域、２６…ウェブブラウザ、２７…広告再生部、２８…コンテンツ要求部、３１…属性ファイル取得部、３２…広告取得部、３３…再生部、５０…ネットワーク、５１…基地局、６０…コンテンツサーバ、１００…システム。
【図１】
2008072601.tif 000003
【図２】
2008072601.tif 000004
【図３】
2008072601.tif 000005
【図４】
2008072601.tif 000006
【図５】
2008072601.tif 000007
【図６】
2008072601.tif 000008